(57)【要約】【課題】蛍光ランプの発光効率の低下を抑えることができる埋込型照明器具を提供する。【解決手段】埋込型照明器具Ａは、口金部８にアマルガムが配置された片口金蛍光ランプ７と、片口金蛍光ランプ７が装着されるランプソケット６と、ランプソケット６が取付けられるボディ２と、ランプソケット６及び口金部８を覆うようにボディ２に被着されるカバー３と、ボディ２に取付けられ片口金蛍光ランプ７から照射される光を下方に反射させる反射板４とを備えている。カバー３は略コ字状に形成されており、反射板４との間に隙間を設けた状態でボディ２に取着される。またカバー３には自己制御形ヒーター１０及びコード状ヒーター１１が取着されており、空気の対流によってアマルガムが冷やされる場合であっても、カバー３や周囲の空気の温度変化に応じて発熱量を大きくすることにより、アマルガム温度の低下を抑えることができる。【選択図】図１
2008034143.tif 000002
【特許請求の範囲】
【請求項１】
発光管内の水銀蒸気圧を制御するアマルガムが口金部に配置された片口金蛍光ランプが装着されるランプソケットと、前記ランプソケットを介して前記片口金蛍光ランプに電力を供給する点灯装置と、造営材に設けた埋込孔を介して前記造営材で隔てられた２つの空間の空気を対流させる経路を確保した状態で、前記埋込孔を通して埋込配設される器具本体とを備え、
前記器具本体は前記ランプソケット及び前記口金部の周囲を覆うカバーを有し、前記カバーに自己制御形ヒーターを設けたことを特徴とする埋込型照明器具。
【発明の詳細な説明】
【技術分野】
【０００１】
本発明は、片口金蛍光ランプを用いた埋込型照明器具に関するものである。
【背景技術】
【０００２】
従来より、片口金蛍光ランプを用いた埋込型照明器具が提供されている（例えば特許文献１参照）。この埋込型照明器具は、直列的に繋がれた３組の発光管を有しそのうち１組の発光管にアマルガムが収納された片口金蛍光ランプと、天井に設けた埋込孔を通して天井材に埋込配設され片口金蛍光ランプから照射された光を下方に反射させる反射板とを備えている。この反射板は下面が開口しており、開口縁には外側に向かって延出する外鍔が全周に渡って形成されている。また反射板の側面には片口金蛍光ランプの発光管を挿通するための挿通孔が設けられており、アマルガムが収納された部位を反射板の外側に配置した状態で発光管が反射板の内部に挿通配置されている。
【０００３】
この埋込型照明器具では、反射板の側面に設けた挿通孔と天井に設けた埋込孔とを介して天井裏と室内との間で空気が対流すると、この空気の対流によってアマルガムが冷やされ、蛍光ランプの発光効率が低下するという問題があった。
【０００４】
そこで図７に示すように、空気の対流によるアマルガム温度の低下を抑制するために、パネル２４を用いて反射板２２の開口を閉塞した埋込型照明器具２１が提案されている。この埋込型照明器具２１は、口金部２７にアマルガム２８が配置された片口金蛍光ランプ２６と、片口金蛍光ランプ２６が装着されるランプソケット２５と、ランプソケット２５を介して片口金蛍光ランプ２６に電力を供給する点灯装置２９と、天井材３０に設けた埋込孔３１を通して天井材３０に埋込配設され片口金蛍光ランプ２６から照射された光を下方に反射させる反射板２２とを備えている。この反射板２２は下面が開口しており、開口縁には外側に向かって延出する外鍔２３が全周に渡って形成されている。また反射板２２の開口近傍にはパネル２４が取着されており、このパネル２４によって開口が略密閉状態に閉塞されている。
【０００５】
また空気の対流によるアマルガム温度の低下を抑制するために、図８に示すような埋込型照明器具４１も提案されている。この埋込型照明器具４１は、口金部４８にアマルガム４９が配置された片口金蛍光ランプ４７と、片口金蛍光ランプ４７が装着されるランプソケット４６と、ランプソケット４６を介して片口金蛍光ランプ４７に電力を供給する点灯装置５０と、天井材５２に設けた埋込孔５３を通して天井材５２に埋込配設され片口金蛍光ランプ４７から照射された光を下方に反射させる反射板４４と、側面視の形状が略Ｌ字状に形成されてランプソケット４６が取付けられるボディ４２と、略コ字状に形成されランプソケット４６及び口金部４８を覆うように下方からボディ４２に被着されるカバー４３とを備えている。反射板４４は下面が開口した略円筒状に形成されており、開口縁には外側に向かって延出する外鍔４５が全周に渡って形成されている。さらにカバー４３と反射板４４との接合部位にはパッキン５１が取着されており、このパッキン５１によってカバー４３と反射板４４とが略密閉状態に閉塞されている。
【０００６】
図７及び図８に示す埋込型照明器具２１、４１では、それぞれパネル２４やパッキン５１を用いることにより、天井裏と室内との間の空気の対流を防ぐことができ、アマルガム２８、４９の温度低下を抑えることができる。従って片口金蛍光ランプ２６、４７の発光効率の低下を抑制することができる。
【特許文献１】特開２００１−１６７６０９号公報（第３頁−第４頁、及び、第１図−第４図）
【発明の開示】
【発明が解決しようとする課題】
【０００７】
上述した図７及び図８に示す埋込型照明器具２１、４１では、天井裏と室内との間で空気が対流することがないので、点灯時に発光管から発生する熱によってアマルガム２８、４９が最適温度以上の高温になる場合があり、発光管内の水銀蒸気圧が上昇することによりかえって発光効率の低下を招くという問題があった。
【０００８】
本発明は上記問題点に鑑みて為されたものであり、その目的とするところは、蛍光ランプの発光効率の低下を抑えることができる埋込型照明器具を提供することにある。
【課題を解決するための手段】
【０００９】
請求項１の発明は、発光管内の水銀蒸気圧を制御するアマルガムが口金部に配置された片口金蛍光ランプが装着されるランプソケットと、ランプソケットを介して片口金蛍光ランプに電力を供給する点灯装置と、造営材に設けた埋込孔を介して造営材で隔てられた２つの空間の空気を対流させる経路を確保した状態で、埋込孔を通して埋込配設される器具本体とを備え、器具本体はランプソケット及び口金部の周囲を覆うカバーを有し、カバーに自己制御形ヒーターを設けたことを特徴とする。
【発明の効果】
【００１０】
請求項１の発明によれば、ランプソケット及び口金部の周囲を覆うカバーに自己制御形ヒーターを設けており、空気の対流によってアマルガムの周囲温度が下がると温度低下に応じてヒーターの発熱量が増加するので、アマルガムの温度低下を抑えることができ、蛍光ランプの発光効率の低下を抑制することができるという効果がある。逆にアマルガムの周囲温度が上がると温度上昇に応じてヒーターの発熱量が減少するので、発光管内の水銀蒸気圧の上昇を抑えることができ、蛍光ランプの発光効率の低下を抑制することができるという効果がある。また低温環境下において、ヒーターで加熱することにより蛍光ランプを暖めることができるので、蛍光ランプの始動性を向上させることができるという効果がある。さらに用いるヒーターを選択することにより、多種のランプ特性に合わせた温度設定が可能であるという効果がある。
【００１１】
また造営材で隔てられた２つの空間の空気を対流させる経路を設けているので、無風状態の場合であっても発光管から発生する熱が器具本体内にこもることなく、器具本体外部に放熱することができる。従ってアマルガム温度が過度に上昇することはなく、蛍光ランプの発光効率の低下を抑制することができるという効果がある。
【発明を実施するための最良の形態】
【００１２】
以下に本発明の実施の形態を図１〜図６に基づいて説明する。本発明に係る埋込型照明器具Ａは、造営材（例えば、天井等）に設けた埋込孔を通して天井材に埋込設設され、室内を照らすために用いられる。
【００１３】
この埋込型照明器具Ａは、図５に示すように口金部８にアマルガム１２が配置された片口金蛍光ランプ７と、片口金蛍光ランプ７が装着されるランプソケット６と、ランプソケット６が取付けられるボディ２と、ランプソケット６及び口金部８を覆うようにボディ２に被着されるカバー３と、ボディ２に取付けられ片口金蛍光ランプ７から照射される光を下方に反射させる反射板４とを備えている。ここに、ボディ２とカバー３と反射板４とで器具本体１を構成している。
【００１４】
まず片口金蛍光ランプ７について説明する。片口金蛍光ランプ７は、両端部が一方側に来るように屈曲する３組の発光管７ａを有しており、３組の発光管７ａをブリッジ１７（図５参照）を介して直列的に繋いだ状態で両端部側で口金部８に保持されている。また３組の発光管７ａのうち１組の発光管７ａには、口金部８で覆われた部位に発光管７ａ内の水銀蒸気圧を制御するためのアマルガム１２が収納されている。
【００１５】
一方、ボディ２は、図１に示すように天板２ａと天板２ａの一端側から下方に向かって延出する側板２ｂとで側面視の形状が略Ｌ字状に形成されており、側板２ｂの下端両側には下方に向かって突出する一対の係合片２ｃが設けられている。また天板２ａには、左右両側にカバー３を固定するための固定ねじ（図示せず）が螺合するねじ孔２ｄがそれぞれ設けられている。さらにボディ２の側板２ｂには、図１に示すように２個のランプソケット６が横並びに取付けられており、各ランプソケット６には発光管７ａを水平に配置した状態で片口金蛍光ランプ７が装着されている。
【００１６】
次に反射板４は、図１に示すように下面に開口部４ａを有する円筒状に形成されており、開口縁には外側に向かって延出する外鍔５が全周に渡って形成されている。また反射板４の側面には、ボディ２の側板２ｂと対向する部位に片口金蛍光ランプ７の発光管７ａを挿通させるための挿通孔４ｂが設けられており、ランプソケット６及び口金部８をボディ２の側板２ｂと反射板４の挿通孔４ｂとの間に配置した状態で、発光管７ａが挿通孔４ｂから挿通されて反射板４の内部に配置されている。
【００１７】
さらに挿通孔４ｂの近傍には、反射板４の側面に沿って外鍔５から上方に延出する板状の固定部９が設けられており、この固定部９を介して反射板４がボディ２の天板２ａに取付けられる。また固定部９には固定具（図示せず）が遊挿する略Ｔ字状の挿通孔９ａが上下方向に形成されており、この固定具と外鍔５との間で天井材（図示せず）を挟持することによって反射板４が天井材に固定される。
【００１８】
次にカバー３は、図１に示すように主板３ａと主板３ａの両端側から上方に延出する側板３ｂ，３ｂとで略コ字状に形成されており、各側板３ｂの上端縁にはそれぞれ外側に向かって延出する取付片３ｃが設けられている。さらに各取付片３ｃの略中央には、ボディ２に設けたねじ孔２ｄに対応する部位に固定ねじを挿通させる円弧状の切欠部３ｆがそれぞれ形成されている。また主板３ａには、ボディ２に設けた係合片２ｃに対応する部位に一対の係合孔３ｄが設けられており、主板３ａにおいて反射板４と対向する部位には、反射板４の側面形状に合わせた弧状の切欠部３ｅが設けられている。
【００１９】
そしてカバー３をランプソケット６及び口金部８を覆うように下方からボディ２に近づけ、係合片２ｃを係合孔３ｄに係合させた状態で固定ねじをカバー３の切欠部３ｆを介してボディ２のねじ孔２ｄに螺合させると、図２に示すようにカバー３がボディ２に取付けられる。この時、反射板４と主板３ａ及び反射板４と両側板３ｂ，３ｂとの間にはそれぞれ隙間１９，２０（図２参照）が形成される。
【００２０】
さらにカバー３には、図３及び図４に示すように主板３ａ及び側板３ｂに自己制御形ヒーター１０及びコード状ヒーター１１が取付けられている。ここに自己制御形ヒーター１０は、発熱体自体が被加熱物の温度変化に応じて発熱量を自動的に増減させる周知のヒーターであり、従来のように温度制御するための制御装置が不要になるという利点がある。この自己制御形ヒーター１０は主板３ａの下面側の略中央に取付けられており、コード状ヒーター１１は自己制御形ヒーター１０の周りを囲んで主板３ａ及び両側板３ｂ，３ｂに張り巡らされている。
【００２１】
尚、自己制御形ヒーター１０及びコード状ヒーター１１は、図６に示すように直列に接続されており、自己制御形ヒーター１０が自己の発熱量を制御することによりコード状ヒーター１１の発熱量も制御される。このように自己制御形ヒーター１０及びコード状ヒーター１１を併用することにより、安価な発熱システムが可能となる。
【００２２】
ここで、自己制御形ヒーター１０及びコード状ヒーター１１の動作について説明する。まず被加熱物であるカバー３や周囲の空気の温度が低いと、カバー３や周囲の空気の温度に応じて自己制御形ヒーター１０の内部抵抗が小さくなるので、自己制御形ヒーター１０及びコード状ヒーター１１に流れる電流が大きくなり、自己制御形ヒーター１０及びコード状ヒーター１１の発熱量が大きくなる。逆にカバー３や周囲の空気の温度が高いと、カバー３や周囲の空気の温度に応じて自己制御形ヒーター１０の内部抵抗が大きくなるので、自己制御形ヒーター１０及びコード状ヒーター１１に流れる電流が小さくなり、自己制御形ヒーター１０及びコード状ヒーター１１の発熱量が小さくなる。
【００２３】
また埋込型照明器具Ａは、図３に示すように点灯装置１３を備えている。この点灯装置１３は略箱状の装置本体１３ａを有しており、装置本体１３ａには片口金蛍ランプ７に電力を供給するための点灯回路部品（図示せず）が収納されている。そして点灯回路部品は、電線１４を介してランプソケット６に電気的に接続されている。
【００２４】
次に埋込型照明器具Ａの点灯動作について説明する。図６は本実施形態の埋込型照明器具Ａのブロック図である。この埋込型照明器具Ａは、例えば壁等に設置されたスイッチ１５を介して点灯装置１３が商用電源１６に接続されている。また自己制御形ヒーター１０及びコード状ヒーター１１に電力を供給する給電回路１８もスイッチ１５を介して商用電源１６に接続されている。
【００２５】
スイッチ１５を閉じると、ランプソケット６を介して点灯装置１３から片口金蛍光ランプ７に電力が供給され、片口金蛍光ランプ７が点灯する。また同時に給電回路１８から自己制御形ヒーター１０及びコード状ヒーター１１に電力が供給され、カバー３や周囲の空気の温度に応じて自己制御形ヒーター１０及びコード状ヒーター１１が発熱する。ここで片口金蛍光ランプ７が点灯するまでには、予熱（発光管７ａと並列に設けられたコンデンサ（図示せず）を介してフィラメントに通電し、フィラメントを加熱すること）、始動（発光管７ａ内の放電ガスの絶縁破壊を起こさせ、放電ガスの放電を開始させること）の過程を経るため、点灯装置１３への給電と同時に給電回路１８へ給電すると、自己制御形ヒーター１０及びコード状ヒーター１１により予熱段階で発光管７ａを暖めることができるので、片口金蛍光ランプ７の始動性を向上させることができる。
【００２６】
上述の埋込型照明器具Ａでは、カバー３と反射板４との間に隙間１９，２０が設けられており、またボディ２とカバー３との接合部位は密閉されていないので、隙間１９，２０やボディ２とカバー３との接合部位の隙間を介して天井裏と室内との間で空気の対流が生じる場合がある。この対流により発光管７ａに収納されたアマルガム１２が冷やされ、発光管７ａの発光効率が低下する虞れがあるが、カバー３に自己制御形ヒーター１０及びコード状ヒーター１１を設けているので、カバー３や周囲の空気の温度に応じて自己制御形ヒーター１０及びコード状ヒーター１１からの発熱量が大きくなり、カバー３及び周囲の空気を加熱することによって口金部８を加熱することができる。従ってアマルガム１２の温度低下を抑えることができ、発光管７ａの発光効率の低下を抑制することができる。逆にカバー３や周囲の空気の温度が高くなると、カバー３や周囲の空気の温度に応じて自己制御形ヒーター１０及びコード状ヒーター１１からの発熱量が小さくなるので、アマルガム１２の温度上昇を抑えることができ、発光管７ａの発光効率の低下を抑制することができる。
【００２７】
また無風状態で空気の対流がない場合であっても、隙間１９，２０やボディ２とカバー３との接合部位の隙間を介して発光管７ａから発生する熱を天井裏に放熱することができるので、アマルガム１２の温度上昇を抑えることができ、発光管７ａの発光効率の低下を抑制することができる。
【００２８】
さらに本実施形態では、アマルガム１２を用いた片口金蛍光ランプ７のランプ特性に合わせた自己制御形ヒーター１０を用いているが、用いる自己制御形ヒーター１０を選択することにより多種のランプ特性に合わせた温度設定が可能である。
【００２９】
尚、本実施形態では、自己制御形ヒーター１０及びコード状ヒーター１１への給電を点灯装置１３への給電と同時に行っているが、例えばスイッチ１５を閉じた後、自己制御形ヒーター１０及びコード状ヒーター１１に給電し、一定時間経過後に点灯装置１３に給電するような制御装置を設けてもよく、本実施形態に限定されない。
【００３０】
また本実施形態では、片口金蛍光ランプ７を２組用いた埋込型照明器具Ａで説明したが、片口金蛍光ランプ７の数量は本実施形態に限定されるものではなく、１組又は３組以上であってもよい。さらに本実施形態では、自己制御形ヒーター１０及びコード状ヒーター１１を併用して説明しているが、自己制御形ヒーター１０のみを用いてもよく、本実施形態に限定されない。
【００３１】
また本実施形態では、器具本体１を構成するボディ２及びカバー３を別体に設けているが、ボディ２及びカバー３は一体に設けてもよく、取付けられる自己制御形ヒーター１０及びコード状ヒーター１１もボディ２及びカバー３の形状又は構成に応じて口金部８やランプソケット６を覆う部位に取付ければよい。
【図面の簡単な説明】
【００３２】
【図１】本実施形態の埋込型照明器具の一部省略せる分解斜視図である。
【図２】同上の一部省略せる外観斜視図である。
【図３】同上の側面図である。
【図４】同上の下面図である。
【図５】同上を示し、図４におけるＢ−Ｂ断面図である。
【図６】同上のブロック図である。
【図７】（ａ）は従来例の埋込型照明器具の一部破断せる側面図である。（ｂ）は一部破断せる正面図である。
【図８】（ａ）は他の従来例の埋込型照明器具の上面図である。（ｂ）は他の従来例の埋込型照明器具の一部破断せる側面図である。（ｃ）は他の従来例の埋込型照明器具の外観斜視図である。
【符号の説明】
【００３３】
１    器具本体
２    ボディ
３    カバー
４    反射板
６    ランプソケット
７    片口金蛍光ランプ
７ａ  発光管
８    口金部
１０  自己制御形ヒーター
１１  コード状ヒーター
１２  アマルガム
１３  点灯装置
Ａ    埋込型照明器具
【図１】
2008034143.tif 000003
【図２】
2008034143.tif 000004
【図３】
2008034143.tif 000005
【図４】
2008034143.tif 000006
【図５】
2008034143.tif 000007
【図６】
2008034143.tif 000008
【図７】
2008034143.tif 000009
【図８】
2008034143.tif 000010